(57)【要約】【課題】パチンコ玉の滞留が生じることなく、迅速に大量のパチンコ玉を排出することができる貯留タンクを提供することを目的とする。【解決手段】玉通路３６内を通って転動してきたパチンコ玉と玉通路３６外で貯留タンク３０内を転動してきたパチンコ玉とが合流して、当該合流したパチンコ玉を玉排出口３８へ誘導する合流部４６を貯留タンク３０の下流端に備え、合流部４６の底面４６ａは貯留タンク３０の底面３２より低く形成して、貯留タンク３０の底面３２上から合流部底面４６ａ上に転動したパチンコ玉が玉排出口３８から排出されるとともに、当該合流部底面４６ａ上を転動して玉排出口３８から排出されるパチンコ玉の上に重なって、貯留タンク底面３２上から転動したパチンコ玉が玉排出口３８から排出されるものとした。【選択図】図３
2009022392.tif 000002
【特許請求の範囲】
【請求項１】
複数台のパチンコ台を列設した遊技島で使用されるパチンコ玉を内部に貯留し、その内部から排出したパチンコ玉を、遊技島の上部にパチンコ玉を揚送する揚送装置へ供給する貯留タンクにおいて、
該貯留タンク上流側にパチンコ玉が流入可能な上流側開口を有し、該上流側開口で流入したパチンコ玉が貯留タンク下流側まで転動可能な玉通路を貯留タンク底面に備え、
前記玉通路内を通って転動してきたパチンコ玉と玉通路外で貯留タンク内を転動してきたパチンコ玉とが合流して、当該合流したパチンコ玉を前記玉排出口へ誘導する合流部を貯留タンクの下流端に備え、
前記合流部の底面は貯留タンクの底面より低く形成して、
貯留タンク底面上から合流部底面上に転動したパチンコ玉が前記玉排出口から排出されるとともに、
当該合流部底面上を転動して玉排出口から排出されるパチンコ玉の上に重なって、貯留タンク底面上から転動したパチンコ玉が玉排出口から排出されることを特徴とする貯留タンク。
【請求項２】
前記合流部に向かって下り傾斜した傾斜部を貯留タンクの下流端に備え、前記傾斜部へ転動したパチンコ玉を合流部へ誘導する構成とした、請求項１記載の貯留タンク。
【発明の詳細な説明】
【技術分野】
【０００１】
本発明は、複数台のパチンコ台を列設した遊技島内で、パチンコ玉を貯留するための貯留タンクに関する。
【背景技術】
【０００２】
複数のパチンコ台を片面または両面に直線状に列設した遊技島においては、遊技島内の下部にパチンコ玉を貯留するための貯留タンクと、貯留タンクの玉排出部から排出されたパチンコ玉若しくはパチンコ台から排出されたパチンコ玉を遊技島の上部に揚送する揚送装置と、揚送装置で揚送されたパチンコ玉を一時貯留させておく上部タンクと、上部タンクから各パチンコ台に対してパチンコ玉を補給する補給樋と、上部タンクから溢れたパチンコ玉を貯留タンクに戻すためのオーバーフロー流路とから大略構成して、遊技島内でパチンコ玉が循環するようにし、営業時に補給トラブル等の支障がないようにしている。
【０００３】
このような遊技島に設置される貯留タンクは、底面が玉排出部に向かって下り傾斜し、貯留タンク内のパチンコ玉が傾斜に従って玉排出部に向かって転動するように構成されているが、大量のパチンコ玉が貯留タンク内に貯留されると、底面に沿って位置するパチンコ玉に重量がかかることにより、貯留タンク内にて玉詰まりが発生しパチンコ玉が滞留してしまうことがあった。そうすると、複数台のパチンコ台で大当たりが連続する等、一時的に大量のパチンコ玉を貯留タンクから上部タンクへ供給する必要がある場合、十分な量のパチンコ玉を供給することができなくなっていた。
【０００４】
このような問題の対策としては、例えば特許文献１に示すものがある。これは、玉排出部に向かって下り傾斜した床面を備えた貯留タンクが、下流端に下流端案内口を、上流端に上流端案内口を、中間部に中間案内口を備える玉通路を床面に備え、貯留タンク内のパチンコ玉は玉通路の各案内口から玉通路内に流入し、玉通路内にて貯留タンクの床面を傾斜に従って転動し、貯留タンクの玉排出部に達するものである。玉通路内を転動するパチンコ玉には、その上方から貯留タンク内に貯留されるパチンコ玉の重量が加えられないので、貯留タンク内に多量のパチンコ玉が収容された場合であっても円滑に玉排出部まで転動され、玉詰まりなどを起こすことがない、としている。
【特許文献１】特開２０００−１０２５１５号公報
【発明の開示】
【発明が解決しようとする課題】
【０００５】
ところで、一時的に貯留タンクから上部タンクへ大量のパチンコ玉の供給を必要とする場合には、迅速に大量のパチンコ玉を貯留タンク内から排出することが要求されるが、上記特許文献１の示された貯留タンクの構成ではその要求を十分に満たすことができなかった。また、迅速に大量のパチンコ玉を排出する方法としては玉排出部の幅を広くすることが考えられるが、遊技島の内部という限られたスペースの中で貯留タンクを設置する関係上、玉排出部の幅を広くするにも限界があった。
【０００６】
本発明は上記の問題点に鑑み、パチンコ玉の滞留が生じることなく、迅速に大量のパチンコ玉を排出することができる貯留タンクを提供することを目的としている。
【課題を解決するための手段】
【０００７】
このため、本発明は、複数台のパチンコ台を列設した遊技島で使用されるパチンコ玉を内部に貯留し、その内部から排出したパチンコ玉を、遊技島の上部にパチンコ玉を揚送する揚送装置へ供給する貯留タンクにおいて、貯留タンク上流側にパチンコ玉が流入可能な上流側開口を有し、上流側開口で流入したパチンコ玉が貯留タンク下流側まで転動可能な玉通路を貯留タンク底面に備え、玉通路内を通って転動してきたパチンコ玉と玉通路外で貯留タンク内を転動してきたパチンコ玉とが合流して、当該合流したパチンコ玉を玉排出口へ誘導する合流部を貯留タンクの下流端に備え、合流部の底面は貯留タンクの底面より低く形成して、貯留タンク底面上から合流部底面上に転動したパチンコ玉が玉排出口から排出されるとともに、当該合流部底面上を転動して玉排出口から排出されるパチンコ玉の上に重なって、貯留タンク底面上から転動したパチンコ玉が玉排出口から排出されるものとした。
【発明の効果】
【０００８】
本発明によれば、貯留タンク底面上から合流部底面上に転動したパチンコ玉が玉排出口から排出されるとともに、当該合流部底面上を転動して玉排出口から排出されるパチンコ玉の上に重なって、貯留タンク底面上から転動したパチンコ玉が玉排出口から排出されるので、パチンコ玉が玉排出口から上下２段に重なった状態で排出され、玉排出口の幅を広げることなく迅速に大量のパチンコ玉を排出することができる。
【発明を実施するための最良の形態】
【０００９】
以下、本発明の実施の形態について説明する。
図１は遊技島１０の構成を示す側面図である。遊技島１０は、複数のパチンコ台１２を横方向に並べて１面とするとともに、同様の面を背中合わせにして構成されている。島端には適宜に計数機１２が設けられている。遊技島１０の中央部にはパチンコ玉を研磨しながら上部タンク１６へ揚送する揚送装置２４が設置され、パチンコ台列の下部にはパチンコ玉を貯留する貯留タンク３０が設けられている。
【００１０】
貯留タンク３０の揚送装置２４側の一端にはシャッタ２０が設けられ、シャッタ２０が開くことにより貯留タンク３０の底部から当該タンク内のパチンコ玉を回収樋２２へ排出し、回収樋２２を通して揚送装置２４へ供給する。
上部タンク１６からは遊技島１０の長手方向に補給樋１８、１８が延びて、詳細は図示省略するが各パチンコ台１４へパチンコ玉を補給する。また、上部タンク１６の容量を超えてあふれたパチンコ玉は遊技島１０の中央部に設けられたオーバーフローパイプから貯留タンク３０へ回収されるようになっている。なお、このオーバーフローパイプは不図示であるが、図１上において揚送装置２４の奥側に設けられており、オーバーフローパイプに流入したパチンコ玉は貯留タンク３０内に設けた後述の玉均し板４４上に誘導される。
また、計数機１２に受け入れられたパチンコ玉は回収樋２１を経て揚送装置２４へ回収される。
【００１１】
貯留タンク３０にはパチンコ玉の貯留量を検出する複数の貯留量センサ７４が付設されており、上述した構成の複数の遊技島１０が複数配置され、それぞれ隣接する遊技島１０間に遊技島間でのパチンコ玉貯留量のバランスをとるためパチンコ玉を移動させる樋状の玉バランス通路（不図示）が設けられている。
【００１２】
通常は、揚送装置２４は常時駆動されており、個別のパチンコ台１４に投入されたパチンコ玉は揚送装置２４へ戻されて、上部タンク１６−パチンコ台１４−揚送装置２４−上部タンク１６の順に循環している。上部タンク１６をオーバーフローしたパチンコ玉は貯留タンク３０に貯留される一方、不足してくるとシャッタ２０が開かれて、貯留タンク３０から揚送装置２４へパチンコ玉が供給される。
【００１３】
次に、貯留タンク３０について詳細に説明する。図２は貯留タンク３０の外観斜視図であり、図３は貯留タンク３０の内部の底面部分を示した斜視図であり、図４は貯留タンク３０の玉排出口３８近傍を示した拡大斜視図である。
貯留タンク３０は、底面３２が所定の傾斜角度で揚送装置２４側に向って下り傾斜しているとともに、その下流端には幅方向中央に玉排出口３８を有し、この玉排出口３８には前述のシャッタ２０が設けられ、シャッタ２０が開くことにより貯留タンク３０内のパチンコ玉が玉排出口３８を通って回収樋２２へ排出される。
【００１４】
貯留タンク３０内の上部には、両側壁３０ａ，３０ａに沿って貯留タンクの下流端から上流端に向って下り傾斜して設けられた上部アウト玉誘導路４０，４０が設けられている。この上部アウト玉誘導路４０，４０は上流端壁３０ｂを貫通しており、貯留タンク３０の上方位置に設置されたパチンコ台１４で使用されたパチンコ玉は、この上部アウト玉誘導路４０，４０上へ排出されて回収樋２３へ転動する。なお、貯留タンク３０が設置された上方位置よりも遊技島１０の端側（図１における左側）に設置されたパチンコ台１４で使用されたパチンコ玉は直接回収樋２３上に排出される。
【００１５】
貯留タンク３０底面３２の両隅角部には、上壁４２ａと側壁４２ｂとから構成された下部アウト玉誘導路４２が貯留タンク３０の上流端から下流端に渡って設けられており、回収樋２３上のパチンコ玉が貯留タンク３０内部を通ることなく下部アウト玉誘導路４２を通って回収樋２２を介して揚送装置２４へ誘導される。
【００１６】
貯留タンク３０内の上部中央位置には、平板状の玉均し板４４が、上部アウト玉誘導路４０，４０との間に隙間を有して貯留タンク３０の下流端から上流端に向って下り傾斜して設けられており、オーバーフローパイプ（不図示）で上部タンク１６から流下したパチンコ玉が玉均し板４４上に誘導される。そして、玉均し板４４上を貯留タンク３０内の下流端側に向って転動しながら玉均し板４４と上部アウト玉誘導路４０，４０との間の隙間から貯留タンク３０内へ流下する。
【００１７】
貯留タンク３０底面３２の幅方向中央位置には、貯留タンク３０の長手方向に沿って上流側から下流端に通じる玉通路３６を備えている。この玉通路３６は、上壁３４ａと側壁３４ｂ、３４ｂとから構成された断面コの字状の枠部材３４を底面３２に固定することで形成され、上壁３４ａは底面３２よりパチンコ玉の直径寸法以上高い高さを有する。また、玉通路３６を形成する枠部材３４は、貯留タンク３０の上流側で開口した上流側開口３７を有しており、貯留タンク３０内のパチンコ玉がこの上流側開口３７から玉通路３６内に入る。そして、上流側開口３７から玉通路３６内に流入したパチンコ玉は貯留タンク３０の下流端に向って転動する。さらに枠部材３４は、貯留タンク３０の下流端壁３０ｃ付近に側壁３４ｂを切り欠くことによりパチンコ玉が通過可能に形成した下流側開口３５を有している。この下流側開口３５により、上流側開口３７で玉通路３６に入ることなく貯留タンク３０底面３２を転動してきたパチンコ玉と、上流側開口３７から玉通路３６内に流入して玉通路３６内を転動してきたパチンコ玉とが後述の合流部４６にて合流できるようになっている。
【００１８】
枠部材３４の上壁３４ａは、幅方向の中央を上流側開口３７に連続してＶ字状に切欠いた切欠き部３７ａを有している。このＶ字状の切欠き部３７ａにより、上壁３４ａの上流側の縁が貯留タンク３０底面３２の傾斜方向に対して斜めになるので、上流側開口３７に多量のパチンコ玉が押し寄せる状態となっても、パチンコ玉が上壁３４ａの縁に沿って斜めに移動することができ、上流側開口３７において玉詰まりを起こすことがない。
【００１９】
貯留タンク３０下流端の玉排出口３８の直前位置には、上流側開口３７から玉通路３６へ流入して玉通路３６内を転動してきたパチンコ玉と、上流側開口３７で玉通路３６に入ることなく貯留タンク３０内を下流端まで転動してきたパチンコ玉とが合流する合流部４６が設けられている。この合流部４６は、幅寸法が玉排出口３８の幅とほぼ同じ大きさで設けられ、合流部底面４６ａは貯留タンク３０の底面３２からパチンコ玉の直径寸法分以上低く形成されている。
【００２０】
合流部４６以外の貯留タンク３０下流端領域の底面は、合流部底面４６ａに向って下り傾斜した傾斜部４８となっていて、貯留タンク３０底面３２から傾斜部４８上に転動したパチンコ玉は、傾斜部４８の傾斜に従って合流部底面４６ａへ転動し、玉排出口３８へ誘導され回収樋２２を介して揚送装置２４へ供給される。この傾斜部４８は終端縁４８ａが合流部底面４６ａよりもパチンコ玉の直径寸法分以上高い位置となるように設けてある。
【００２１】
傾斜部４８を通ることなく貯留タンク３０の底面３２から直接合流部４６へ転動したパチンコ玉は、傾斜部４８から合流部底面４６ａを通って貯留タンク３０外部へ流出するパチンコ玉の上に重なって玉排出口３８へ転動する。したがって、玉排出口３８からはパチンコ玉が２段に重なった状態で排出される。さらに、２段に重なったパチンコ玉が玉排出口３８からスムーズに排出できるように、玉排出口３８の上縁は貯留タンク３０の底面３２よりパチンコ玉の直径寸法分以上高い位置に設けてある。
【００２２】
また、合流部４６の幅方向の位置は、玉通路３６と同じ位置、即ち貯留タンク３０の幅方向中央位置に設けてあり、また、玉通路３６の幅寸法が玉排出口３８とほぼ同じ大きさに設けてあるので、上流側開口３７で玉通路３６に入ることなく貯留タンク３０内を転動してきたパチンコ玉が傾斜部４８上を転動して合流部底面４６ａから玉排出口３８を通って貯留タンク３０外部へ流出し、そのパチンコ玉の上から、上流側開口３７から玉通路３６へ流入して玉通路３６内を転動してきたパチンコ玉が重なって貯留タンク３０外部へ流出する。
【００２３】
貯留タンク３０内の玉排出口３８上方位置には、下流端壁３０ｃから上流側に向って下り傾斜した圧逃板４５が設けられている。この圧逃板４５は、貯留タンク３０内にパチンコ玉が多量に貯留されている場合に、玉排出口３８部分でのパチンコ玉の圧力を弱め、スムーズにパチンコ玉が流下するようにしている。この圧逃板４５は、先端が下部アウト玉誘導路４２の上壁４２ａ、及び玉通路３６（枠部材３４）の上壁３４ａとの間隔がパチンコ玉の直径よりも小さくなるように設けられている。
【００２４】
本実施例は以上のように構成され、複数台のパチンコ台１４を列設した遊技島１０で使用されるパチンコ玉を内部に貯留し、その内部から排出したパチンコ玉を、遊技島１０の上部にパチンコ玉を揚送する揚送装置２４へ供給する貯留タンク３０において、貯留タンク３０上流側にパチンコ玉が流入可能な上流側開口３７を有し、上流側開口３７で流入したパチンコ玉が貯留タンク３０下流側まで転動可能な玉通路３６を貯留タンク３０の底面３２に備え、玉通路３６内を通って転動してきたパチンコ玉と玉通路３６外で貯留タンク３０内を転動してきたパチンコ玉とが合流して、当該合流したパチンコ玉を玉排出口３８へ誘導する合流部４６を貯留タンク３０の下流端に備え、合流部４６の底面４６ａは貯留タンク３０の底面３２より低く形成して、貯留タンク３０の底面３２上から合流部底面４６ａ上に転動したパチンコ玉が玉排出口３８から排出されるとともに、当該合流部底面４６ａ上を転動して玉排出口３８から排出されるパチンコ玉の上に重なって、貯留タンク底面３２上から転動したパチンコ玉が玉排出口３８から排出されるものとした。
これにより、貯留タンク３０の玉排出部３８からパチンコ玉が排出される際に、貯留タンク３０の上流側に貯留されたパチンコ玉と、貯留タンク３０の下流側で貯留されたパチンコ玉とがバランスよく排出される。また、玉通路３６内を転動するパチンコ玉には、その上方から貯留タンク３０内に貯留されるパチンコ玉の重量が加えられないので、玉詰まりを起こすことがない。さらに、玉排出口３８からパチンコ玉が上下２段に重なった状態で排出することができるので、玉排出口３８の幅を広げることなく迅速に大量のパチンコ玉を排出することができる。
【００２５】
また、傾斜部４８の終端縁４８ａが合流部底面４６ａよりもパチンコ玉の直径寸法分以上高い位置となるように設けてあるので、上流側開口３７よりも下流側までしかパチンコ玉が貯留されていないときなどの玉通路３６から合流部４６に流下するパチンコ玉がないときでも、玉通路３６外の貯留タンク３０底面３２から合流部底面４６ａに流下したパチンコ玉の上に後続して流下したパチンコ玉が重なった状態となって排出される。従って、玉通路３６内を転動して合流部４６に流下するパチンコ玉があるときと同様に、パチンコ玉が玉排出口３８から上下２段に重なった状態で排出されるので、迅速に大量のパチンコ玉を排出することができる。
【図面の簡単な説明】
【００２６】
【図１】遊技島の構成を示す図である。
【図２】貯留タンクの外観斜視図である。
【図３】貯留タンクの内部の底面部分を示した斜視図である。
【図４】貯留タンクの玉排出口近傍を示した拡大斜視図である。
【符号の説明】
【００２７】
１０    遊技島
１２    計数機
１４    パチンコ台
１６    上部タンク
１８    補給樋
２０    シャッタ
２１、２２、２３    回収樋
２４    揚送装置
３０    貯留タンク
３２    底面
３４    枠部材
３５    下流側開口
３６    玉通路
３７    上流側開口
３８    玉排出口
４０    上部アウト玉誘導路
４２    下部アウト玉誘導路
４４    玉均し板
４５    圧逃板
４６    合流部
４８    傾斜部
７４    貯留量センサ
【図１】
2009022392.tif 000003
【図２】
2009022392.tif 000004
【図３】
2009022392.tif 000005
【図４】
2009022392.tif 000006